(57)【要約】  本発明は、アプリケーション（４００）を第２の通信装置（第２の装置）（１１０）と共有するための第１の通信装置（第１の装置）（１００）における方法に関する。この方法は第１のショートメッセージサービス（ＳＭＳ）を第２の装置へ送信するステップを備える。第１のＳＭＳは、アプリケーションを第２の装置の中へダウンロードすることができるダウンロード元の場所へのリンクを備える。第１のＳＭＳは、第１の装置と第２の装置との間のＩＰ接続を開始するために用いるための第２の装置用の識別子を備える。この方法は第１の装置と第２の装置との間のＩＰ接続を設定するために第２の装置によって接続されるさらなるステップを備える。本方法は、アプリケーションの共有時にＩＰ接続で第２の装置との通信を行うさらなるステップを備える。
2009541819.tif 000002
【特許請求の範囲】
【請求項１】
アプリケーション（４００）を第２の通信装置（第２の装置）（１１０）と共有するための、該アプリケーション（４００）を備えた第１の通信装置（第１の装置）（１００）における方法であって、
第１のショートメッセージサービス（ＳＭＳ）を前記第２の装置（１１０）へ送信するステップであって、前記第２の装置（１１０）が前記アプリケーション（４００）を予め備えていない場合、前記第１のＳＭＳは、前記アプリケーション（４００）を前記第２の装置（１１０）の中へダウンロードできるダウンロード元の場所へのリンクと、前記第１の装置（１００）と前記第２の装置（１１０）との間のＩＰ接続を開始するために用いる前記第２の装置（１１０）用の識別子とを有する、ステップと、
前記第１の装置（１００）と前記第２の装置（１１０）との間のＩＰ接続を設定するために前記第２の装置（１１０）により接続されるステップであって、前記第２の装置（１１０）が前記アプリケーション（４００）を予め備えていない場合、該第２の装置（１１０）は、前記第１のＳＭＳの中の受信した前記リンクによって前記アプリケーション（４００）をダウンロードし、さらに、該第２の装置（１１０）は、前記第１のＳＭＳの中の受信した前記識別子によって前記第１の装置（１００）に接続される、ステップと、
前記アプリケーション（４００）を共有しながら、ＩＰ接続で前記第２の装置（１１０）と通信を行うステップと、
を有することを特徴とする方法。
【請求項２】
前記第１のＳＭＳは勧誘テキストをさらに有し、
前記リンクをアクティブにするために該勧誘テキストは、前記第２の装置（１１０）のユーザが前記アプリケーション（４００）のダウンロードを望んだ場合に前記ユーザに勧誘を行うように適合される
ことを特徴とする請求項１に記載の方法。
【請求項３】
前記第２の装置（１１０）が前記アプリケーション（４００）を予め備えていない場合、前記勧誘テキストのみを前記第２の装置（１１０）に表示するように適合される
ことを特徴とする請求項２に記載の方法。
【請求項４】
前記第１のＳＭＳは前記アプリケーション（４００）に関連づけられた特定のポートへ送信されると共に、前記ＳＭＳがこのようなポートを発見しなかった場合、それは、前記第２の装置（１１０）が前記アプリケーション（４００）を備えていないことと、前記勧誘テキストを前記第２の装置（１１０）に示すべきであることとを示すものであることを特徴とする請求項３に記載の方法。
【請求項５】
前記第２の装置（１１０）が前記アプリケーション（４００）を予め備えている場合、前記第１のＳＭＳは、前記アプリケーション（４００）を前記第２の装置（１１０）において開始するためのトリガをさらに有することを特徴とする請求項１乃至４のいずれか１項に記載の方法。
【請求項６】
前記第１のＳＭＳが前記リンクと前記勧誘テキストとを有していなかった場合、前記第２の装置（１１０）が前記アプリケーション（４００）を備えていなければ、前記リンクと前記勧誘テキストとを含む個別の勧誘ＳＭＳを第２の装置（１１０）へ送信するステップを更に備えることを特徴とする請求項２乃至５のいずれか１項に記載の方法。
【請求項７】
前記第１のＳＭＳに関連づけられた配信報告が受信され、また、前記第１の装置（１００）内の前記アプリケーション（４００）とのコンタクトが前記第２の装置（１１０）内の前記アプリケーション（４００）によって所定の時間内に行われなかった場合、前記勧誘ＳＭＳが送信されることを特徴とする請求項６に記載の方法。
【請求項８】
前記第２の装置（１１０）のスイッチがオンになっているが、前記第２の装置（１１０）内の前記アプリケーション（４００）によって、前記第１の装置（１００）内の前記アプリケーション（４００）とのコンタクトが所定の時間内に行われていないことが要求時の前記第２の装置（１１０）の通信事業者により知らされた場合、前記勧誘ＳＭＳが送信されることを特徴とする請求項７に記載の方法。
【請求項９】
ＩＰ接続を開始するために用いられる前記第２の装置（１１０）用の前記識別子は、前記第１の装置（１００）の前記ＩＰアドレスによって表されることを特徴とする請求項１乃至８のいずれか１項に記載の方法。
【請求項１０】
サーバ（１２０）が前記ＩＰ接続の設定に用いられ、
前記アプリケーション（４００）は前記サーバ（１２０）のＩＰアドレスを認知し、
前記第１のＳＭＳの中に含まれている前記識別子が、前記第１の装置（１００）と前記サーバ（１２０）との間のＩＰ接続を特定する識別子によって表され、
前記方法は、前記第１のＳＭＳを送信する前記ステップの前に行う以下のステップ、すなわち、
前記サーバ（１２０）の前記認知済みのＩＰアドレスを用いることによって、前記サーバ（１２０）と前記第１の装置（１００）との間のＩＰ接続を設定するステップと、
前記サーバ（１２０）と前記第１の装置（１００）との間の前記接続を特定する識別子を取得するステップと、
前記識別子は、前記サーバ（１２０）と前記第１の装置（１００）との間の前記接続に関連づけられたものとして、前記サーバ（１２０）に登録される
ことを特徴とする請求項１乃至９のいずれか１項に記載の方法。
【請求項１１】
前記第１の装置（１００）によって作成されることによって前記識別子は取得されることを特徴とする請求項１０に記載の方法。
【請求項１２】
前記識別子は要求時に前記サーバ（１２０）から取得されることを特徴とする請求項１０又は１１に記載の方法。
【請求項１３】
前記第１の装置（１００）と前記第２の装置（１１０）との間のＩＰ接続を設定するために前記第２の装置（１１０）によって接続される前記ステップは、
前記第２の装置（１１０）と前記サーバ（１２０）の前記ＩＰアドレス間の接続を設定するステップであって、前記第２の装置（１１０）は、前記サーバ（１２０）に識別子を提供すると共に、該識別子は前記サーバ（１２０）と、該サーバ（１２０）に登録された前記第１の装置（１００）との間の前記ＩＰ接続を特定するために前記サーバ（１２０）によって用いられるステップと、
前記第１の装置（１００）と前記サーバ（１２０）との間の前記識別されたＩＰ接続を、前記サーバ（１２０）と前記第２の装置（１１０）との間の前記ＩＰ接続と接続するステップと、
によって実行されることを特徴とする請求項１０乃至１２のいずれか１項に記載の方法。
【請求項１４】
前記アプリケーション（４００）をダウンロードできるダウンロード元の前記場所へのリンクが、前記第１の装置（１００）又は前記サーバ（１２０）へのリンクであることを特徴とする請求項１乃至１３のいずれか１項に記載の方法。
【請求項１５】
ダウンロードできる前記アプリケーション（４００）は、前記サーバ（１２０）宛のＩＰアドレスも備えることを特徴とする請求項１０乃至１４のいずれか１項に記載の方法。
【請求項１６】
前記サーバ（１２０）は、当該サーバ（１２０）からの前記応答の中に含まれる前記勧誘テキストであって、前記第１のＳＭＳの中に含まれる勧誘テキストを定式化することを特徴とする請求項１０乃至１５のいずれか１項に記載の方法。
【請求項１７】
前記第２の装置（１１０）の電話番号が前記サーバ（１２０）に知らされ、
前記サーバ（１２０）は前記電話番号の国別コードに対して前記テキストを採用する
ことを特徴とする請求項１０乃至１６のいずれか１項に記載の方法。
【請求項１８】
第１の装置の中へコンピュータプログラムコードをロードするときにアプリケーション（４００）を第２の通信装置と共有するための、第１の通信装置（第１の装置）（１００）内のコンピュータプログラム製品であって、請求項１乃至１７のいずれか１項に記載の方法の各ステップの実行を、前記第１の装置（１００）に設けられたコンピュータ内の処理手段（４３０）に制御させるための前記コンピュータプログラムコードを備えることを特徴とするコンピュータプログラム製品。
【請求項１９】
アプリケーション（４００）を備える第１の通信装置（第１の装置）（１００）であって、
第１のショートメッセージサービス（ＳＭＳ）を第２の通信装置（第２の装置）（１１０）へ送信するように適合された送信用ユニット（４１０）であって、前記第２の装置（１１０）が前記アプリケーション（４００）を予め備えていない場合、前記第１のＳＭＳは、前記アプリケーション（４００）を前記第２の装置（１１０）の中へダウンロードできるダウンロード元の場所へのリンクと、前記第１の装置（１００）と前記第２の装置（１１０）との間のＩＰ接続を開始するために用いる前記第２の装置（１１０）用の識別子とを有するように適合された送信用ユニット（４１０）と、
前記第１の装置（１００）と前記第２の装置（１１０）との間のＩＰ接続を設定するために前記第２の装置（１１０）によって接続されるように適合されたＩＰ接続ポイント（４２０）であって、該第２の装置（１１０）が前記アプリケーション（４００）を予め備えていない場合、該第２の装置（１１０）は、受信した前記リンクによって前記アプリケーション（４００）を前記第１のＳＭＳにダウンロードするように適合され、さらに、該第２の装置（１１０）は前記第１のＳＭＳの形で受信した識別子によって前記第１の装置（１００）に接続されるように適合されたＩＰ接続ポイント（４２０）と、
を備え、
前記ＩＰ接続ポイント（４２０）は、前記アプリケーション（４００）を共有しながら、ＩＰ接続で前記第２の装置（１１０）と通信するようにさらに適合される
ことを特徴とする第１の通信装置（１００）。
【請求項２０】
前記第１のＳＭＳは勧誘テキストをさらに有し、
前記リンクをアクティブにするために該勧誘テキストは、前記第２の装置（１１０）のユーザが前記アプリケーション（４００）のダウンロードを望んだ場合に前記ユーザに勧誘を行うように適合される
ことを特徴とする請求項１９に記載の第１の装置（１００）。
【請求項２１】
前記第２の装置（１１０）が前記アプリケーション（４００）を予め備えていない場合、前記勧誘テキストのみを前記第２の装置（１１０）に表示するように適合される
ことを特徴とする請求項１９又は２０に記載の第１の装置（１００）。
【請求項２２】
前記送信用ユニット（４１０）は、前記第１のＳＭＳを前記アプリケーション（４００）に関連づけられた特定のポートへ送信するようにさらに適合されると共に、前記ＳＭＳがこのようなポートを発見しなかった場合、それは、前記第２の装置（１１０）が前記アプリケーション（４００）を備えていないことを示すものであり、そして、前記勧誘テキストを前記第２の装置（１１０）に示すべきであることを示すものであることを特徴とする請求項１９乃至２１のいずれか１項に記載の第１の装置（１００）。
【請求項２３】
前記第２の装置（１１０）が前記アプリケーション（４００）を予め備えていれば、前記第１のＳＭＳは、前記アプリケーション（４００）を開始するように適合されたトリガを前記第２の装置（１１０）の中にさらに有することを特徴とする請求項１９乃至２２のいずれか１項に記載の第１の装置（１００）。
【請求項２４】
前記第１のＳＭＳが前記リンクと前記勧誘テキストとを有するように適合されていなかった場合、前記第２の装置（１１０）が前記送信用ユニット（４１０）を備えていなければ、個別の勧誘ＳＭＳを第２の装置（１１０）へ送信するようにさらに適合され、該勧誘ＳＭＳは前記リンクと前記勧誘テキストとを含むように適合されることを特徴とする請求項２０乃至２３のいずれか１項に記載の第１の装置（１００）。
【請求項２５】
前記第１のＳＭＳに関連づけられた配信報告が受信され、また、前記第２の装置（１１０）内の前記アプリケーション（４００）によって、前記第１の装置（１００）内の前記アプリケーション（４００）とのコンタクトが前記第１のＳＭＳの送信後所定の時間内に行われなかった場合、前記送信用ユニット（４１０）は、前記勧誘ＳＭＳを単に送信するようにさらに適合されることを特徴とする請求項２４に記載の第１の装置（１００）。
【請求項２６】
前記第２の装置（１１０）のスイッチがオンになっているが、前記第２の装置（１１０）内の前記アプリケーション（４００）によって、前記第１の装置（１００）内の前記アプリケーション（４００）とのコンタクトが前記第１のＳＭＳの送信後所定の時間内に行われていないことが要求時の前記第２の装置（１１０）の通信事業者により知らされた場合、前記送信用ユニット（４１０）は、前記勧誘ＳＭＳを単に送信するように適合されることを特徴とする請求項２５に記載の第１の装置（１００）。
【請求項２７】
ＩＰ接続を開始するためのアドレス指定を行うために、前記第２の装置（１１０）用として意図された前記識別子が前記第１の装置（１００）のＩＰアドレスによって表されることを特徴とする請求項１９乃至２６のいずれか１項に記載の第１の装置（１００）。
【請求項２８】
サーバ（１２０）が前記ＩＰ接続の設定に用いられ、
前記アプリケーション（４００）は前記サーバ（１２０）のＩＰアドレスを認知し、
前記第１のＳＭＳの中に含まれている識別子は、前記第１の装置（１００）と前記サーバ（１２０）との間のＩＰ接続を特定する識別子によって表され、
前記ＩＰ接続ポイント（４２０）がサーバ（１２０）と前記第１の装置（１００）との間の接続を設定すると共に、該識別子は、前記サーバ（１２０）と前記第１の装置（１００）との間の接続として前記サーバ（１２０）に登録されるように適合される
ことを特徴とする請求項１９乃至２７のいずれか１項に記載の第１の装置（１００）。
【請求項２９】
前記識別子は前記第１の装置（１００）によって作成されることを特徴とする請求項２８に記載の第１の装置（１００）。
【請求項３０】
前記識別子は要求時に前記サーバ（１２０）から取得されることを特徴とする請求項２８に記載の第１の装置（１００）。
【請求項３１】
前記第２の装置（１１０）と前記サーバ（１２０）との間の接続を設定する、前記第１の装置（１００）と前記第２の装置（１１０）との間のＩＰ接続が、前記第２の装置（１１０）によって実行されるように適合され、
前記第２の装置（１１０）は前記識別子を前記サーバ（１２０）に提供し、
前記ＩＰアドレスと識別子とは前記第１のＳＭＳの中に含まれていたものであり、
前記サーバ（１２０）と、前記サーバ（１２０）に登録されていた前記第１の装置（１００）との間の前記ＩＰ接続を特定するために前記識別子は前記サーバ（１２０）によって用いられ、
前記サーバ（１２０）は、前記第１の装置（１００）と前記サーバ（１２０）との間の前記特定されたＩＰ接続を、前記サーバ（１２０）と前記第２の装置（１１０）との間の前記ＩＰ接続と接続する
ことを特徴とする請求項２８に記載の第１の装置（１００）。
【請求項３２】
前記アプリケーション（４００）をダウンロードできるダウンロード元の場所へのリンクは、前記第１の装置（１００）又は前記サーバ（１２０）へのリンクであることを特徴とする請求項１９乃至３１のいずれか１項に記載の第１の装置（１００）。
【請求項３３】
ダウンロードできる前記アプリケーション（４００）は、前記サーバ（１２０）宛のＩＰアドレスも有することを特徴とする請求項２８乃至３２のいずれか１項に記載の第１の装置（１００）。
【請求項３４】
前記サーバ（１２０）は、前記サーバからの前記応答の中に含まれる前記勧誘テキストであって、前記第１のＳＭＳの中に含まれる勧誘テキストを定式化する
ことを特徴とする請求項２８乃至３３のいずれか１項に記載の第１の装置（１００）。
【請求項３５】
前記第１の装置（１００）は移動電話機であることを特徴とする請求項１９乃至３４のいずれか１項に記載の第１の装置（１００）。
【発明の詳細な説明】
【技術分野】
【０００１】
本発明は一般に、第１の通信装置及び該第１の通信装置における方法に関する。特に、本発明はＩＰ接続時における第２の通信装置とのアプリケーションの共有に関する。
【背景技術】
【０００２】
通信業界は移動電話機のような通信装置における新規の機能及び新たなアプリケーションの導入には腰が重い。これは、通信業界が常に、標準化と、実施構成と、相互運用性（ＩＯＰ）テストと、通信事業者のネットワークにおける役割分担とを必要とすることに起因する。今日、新たなアプリケーションを必要とする新規の機能を導入する唯一の方法として、まず新規の機能を標準化し、次いで、すべての新たな移動電話機の中に新たなアプリケーションを含むようにする方法がある。この結果、すでにマーケットに出ている移動電話機が新規の機能及びアプリケーションの導入から除外されるという問題が生じることになる。
【発明の開示】
【発明が解決しようとする課題】
【０００３】
本発明の目的は、第１の通信装置と第２の通信装置とのアプリケーションの共有をさらに簡単かつさらに高速にする通信装置用メカニズムを提供することである。
【課題を解決するための手段】
【０００４】
本発明によれば、上記目的は、アプリケーションを第２の通信装置（第２の装置）と共有するための、第１の通信装置（第１の装置）における方法によって達成される。第１の装置はアプリケーションを備えているものとする。上記方法は、第１のショートメッセージサービス（ＳＭＳ）を第２の装置へ送信するステップを備える。第１のＳＭＳは、第２の装置がアプリケーションを予め備えていない場合、アプリケーションを第２の装置の中へダウンロードできるダウンロード元の場所へのリンクを備えている。第１のＳＭＳは、第１の装置と第２の装置との間のＩＰ接続を開始するために用いる第２の装置用の識別子を備える。この方法は、第１の装置と第２の装置との間のＩＰ接続を設定するための第２の装置によるさらなる接続ステップを備えるものである。第２の装置は、第２の装置がアプリケーションを予め備えていない場合、第１のＳＭＳの形で受信したリンクによってアプリケーションをダウンロードする。第２の装置は第１のＳＭＳの形で受信した識別子によって第１の装置に接続する。上記方法は、アプリケーションを共有しながらＩＰ接続時に第２の装置と通信するさらなるステップを備える。
【０００５】
本発明によれば、上記目的はアプリケーションを備えた第１の通信装置（第１の装置）によって達成される。第１の装置は、第１のショートメッセージサービス（ＳＭＳ）を第２の通信装置（第２の装置）へ送信するように適合された送信用ユニットをさらに備える。第２の装置がアプリケーションを予め備えていない場合、第１のＳＭＳには、アプリケーションを第２の装置の中へダウンロードできるダウンロード元の場所へのリンクが含まれる。第１のＳＭＳには、第１の装置と第２の装置との間のＩＰ接続を開始するために用いる第２の装置用の識別子がさらに含まれる。第１の装置は、第１の装置と第２の装置との間のＩＰ接続を設定するために第２の装置により接続するように適合されたＩＰ接続ポイントをさらに備える。第２の装置がアプリケーションを予め備えていない場合、第２の装置は第１のＳＭＳの形で受信したリンクによってアプリケーションをダウンロードするように適合され、該第２の装置は、第１のＳＭＳの形で受信した識別子によって第１の装置と接続するように適合される。ＩＰ接続ポイントは、アプリケーションを共有しながらＩＰ接続時に第２の装置と通信するようにさらに適合される。
【０００６】
第２の装置の中へアプリケーションをダウンロードできるダウンロード元である場所へのリンクと、第１の装置と第２の装置との間のＩＰ接続を開始するために第２の装置がＳＭＳの形で用いる識別子とが第１の装置によって第２の装置へ送信されるため、第２の装置は、アプリケーションをダウンロードし、第１の装置と第２の装置との間のＩＰ接続を開始し、第１及び第２の装置がアプリケーションを共有しながらＩＰ接続時に通信を開始することが可能となる。
【０００７】
本発明の効果として、広いサーバ・パークを維持するコストをかけずに膨大な数のユーザの中へアプリケーションを自動的に拡散できるという点が挙げられる。
【０００８】
本発明の別の効果として、標準化やユーザ構成を必要としないという点が挙げられる。
【０００９】
さらなる効果として、本発明は通信事業者に依存しないという点が挙げられる。
【発明を実施するための最良の形態】
【００１０】
図１は、第２の通信装置１１０（以後第２の装置１１０と呼ぶ）と通信するように適合された第１の通信装置１００（以後第１の装置１００と呼ぶ）を示す。移動通信用グローバルシステム（ＧＳＭ）及び広帯域符号分割多元接続（ＷＣＤＭＡ）、旧来の電話サービスシステム（ＰＯＴ）又はインターネットなどのような技術を用いる無線通信システムのような通信システムに第１の装置１００と第２の装置１１０とが設けられる。第１の装置１００と第２の装置１１０とは、携帯機器、移動電話機、個人用デジタルコンピュータ、ＰＯＴ装置、コンピュータ又は他の任意の通信装置などであってもよい。第１の装置１００と第２の装置１１０とは、ＳＭＳベアラ又は同様のベアラを用いてショートメッセージサービス（ＳＭＳ）又は同様のサービスを介して上記装置が通信できるようにするそれぞれの電話番号又は別の或る種のアドレスをさらに備え、該電話番号又はアドレスは回線交換又はパケット交換を行うことができる。本文献内のＳＭＳには、マルチメディア・メッセージング・サービス（ＭＭＳ）も含まれる。例えば、第１の装置１００と第２の装置１１０とは、電話番号又は装置宛のその他の種類のアドレスを備えた加入者識別モジュール（ＳＩＭ）カード又は汎用移動体通信システムＳＩＭ（ＵＳＩＭ）又はＩＰマルチメディアサブシステムＳＩＭ（ＩＳＩＭ）であってもよい。本方法は、ＳＩＭカード又は同様のカードを備えた通信システムの機能を利用するか、あるいは、ＳＭＳ（又は類似の）ベアラを介してスイッチがオンになるとすぐに電話番号で直接コンタクトすることが可能である。
【００１１】
ＳＩＭ（ＩＳＩＭ又はＵＳＩＭ）カードを備えたコンピュータは、今日汎用パケット無線サービス（ＧＰＲＳ）を用いてインターネットと接続することが可能であり、ＧＳＭを用いてＳＭＳメッセージの送受信を行うことが可能である。このようなコンピュータは、非対称デジタル加入者回線（ＡＤＳＬ）又はブロードバンドアクセスのような陸線ケーブルを経由して潜在的にインターネットに接続することができる。ＳＩＭ（ＵＳＩＭ又はＩＳＩＭ又は同様の）カードの場合、このカードは、該カードを着信可能にする識別子を備えている。この識別子は上記カードの移動局国際番号（ＭＳＩＳＤＮ）を示す番号であってもよい（ＩＳＤＮとはＳＭＳの場合のような統合サービスデジタルネットワークを表す）。あるいは、この識別子は、ＩＳＩＭの場合のようなセッション開始プロトコル・ユニフォームリソース識別子（ＳＩＰ  ＵＲＩ）であってもよい（ＩＳＩＭとは、ＩＭＳのケースで用いられるＳＩＭカード用アプリケーションである）。装置は、ＧＳＭネットワークを介してあるいは上記とは別にショートメッセージサービスセンタ（ＳＭＳＣ）との直接接続によるインターネット上で陸線ケーブルを介してＳＭＳメッセージなどの送受信を行うことができる。
【００１２】
上記のように、第２の装置と接続するために用いられるサービスはＳＭＳ又は同様のサービスであってもよい。ＳＭＳサービスは一般に周知のものであり、さらなる説明を行う必要はない。時間によるＳＭＳサービスが他のサービスによって置き換えられることはありそうにないことではない。ＳＭＳサービス固有の機能として、ＳＩＭ（ＵＳＩＭ又はＩＳＩＭ）カードが装置の中へインストールされるとすぐにこのサービスが常に利用可能になるという点が挙げられる。同様のサービスは同じ機能を有することが望ましいが、例えばＭＳ  ＩＳＤＮの代わりにＳＩＰ  ＵＲＩ識別子などを用いてさらに効率良くサービスを実施することが可能である。本発明はＳＭＳに対する他のサービスもカバーする。
【００１３】
本方法は、無線通信システムのようないくつかの通信システムにおいて規定されているＳＭＳの機能をさらに利用することが可能であり、該機能によって、装置の通常のＳＭＳ受信箱には現れない指定ポートを直接アドレス指定し、それによって或る種のアプリケーションの自動起動が可能となる。第２の装置１１０は、Ｊａｖａ(登録商標)又はＵＩＱ装置などのようなアプリケーションのダウンロードをさらにサポートする。Ｊａｖａ(登録商標)はサンマイクロシステムにおいて開発されたオブジェクト指向プログラム言語である。Ｊａｖａ(登録商標)言語は、ワールドワイドウェブ（ｗｗｗ）において広範に利用されている。ＵＩＱ３は、電話及びネットワークのようなコア技術とサービスとを提供するオペレーティングシステム、シンビアンＯＳｖ９によって予め統合化され、検証されたソフトウェアプラットフォームである。
【００１４】
第１の装置１００はアプリケーションを備える。このアプリケーションは、例えばサーバなどからダウンロードすることができるタイプのアプリケーションであってもよい。このアプリケーションは、Ｊａｖａ(登録商標)又はＵＩＱのような任意のオープンな環境において書き換えることができ、アプリケーションのインストールを可能にするものである。上記アプリケーションは、例えば、音声、画像、ビデオなどの第１の装置１００と第２の装置１１０との間でのリアルタイム通信又は他の任意の通信を可能にするようなものであってもよい。
【００１５】
第１の装置１００のユーザは、ＩＰ接続を用いて第２の装置１１０のユーザとアプリケーションを共有することを望む。この共有は、例えば、インターネットプロトコル（ＩＰ）電話用アプリケーションを用いて第２の装置１１０のユーザと会話したり、画像ビューア用アプリケーションを用いて第２の装置１１０のユーザに対して画像を示したり、インスタント・メッセージ通信セッションなどを実行したりするための共有である。上記機能を働かせるために、第２の装置１１０は、同じアプリケーションを備える必要がある。第２の装置１１０がアプリケーションを予め備えていない場合、第１の装置１００はアプリケーションを第２の装置１１０に提供することを望むことになる。
【００１６】
第１の装置１００はパブリックＩＰアドレスを備えたものであってもよい。現在の電気通信システム及びインターネットでは、ＩＰアドレスの数には制限がある。したがって、パブリックＩＰアドレスをすべてのユーザに提供できるほど十分な数のアドレスが存在していないため、ほとんどのユーザはプライベートＩＰアドレスを持っている。ＩＰの次のバージョン（ＩＰｖ６バージョン）では、無限に近い数のＩＰアドレスが存在することになり、すべての人がパブリックＩＰアドレスを持つことが可能になる。
【００１７】
第１の装置１００がパブリックＩＰアドレスを備えていない場合、その結果として、第１の装置１００のユーザは第２の装置１１０と直接コンタクトすることはできなくなる。代わりに、第２の装置１１０はサーバのＩＰアドレスを用いてサーバ１２０とのコンタクトを行う。サーバ１２０は第１の装置１００とのＩＰ接続を終了する。これを行う方法については後程説明する。したがって、図２を参照しながら以下説明するように、第１の装置１００がパブリックＩＰアドレスを持ち、かつ、サーバを利用しない１つの実施形態と、第１の装置１００がパブリックＩＰアドレスをまったく持たず、かつ、サーバ１２０が関与する別の実施形態とが提供される。該別の実施形態について図３を参照しながらさらに続けて説明する。サーバ１２０は、パブリックＩＰ番号を持たない装置を単に接続する一般的なサーバであってもよいが、アプリケーション固有の機能を含むことも可能である。第１の装置１００内のアプリケーションはサーバ１２０のＩＰアドレスを認知する。第２の装置１１０がアプリケーションを備えているとき、サーバ１２０のＩＰアドレスは第２の装置１１０のアプリケーションに認知されることになる。第１の装置１００のパブリックＩＰアドレスを以後第１の装置１００のＩＰアドレスと呼ぶことにする。第１の装置１００のＩＰアドレスは第１の装置１００を特定する識別子を表すものであるが、この識別子は第１の装置１００と第２の装置１１０との間のＩＰ接続を開始するために第２の装置１１０によって用いられる。
【００１８】
サーバ１２０のＩＰアドレスはサーバ１２０とのＩＰ接続を設定するために第１の装置１００によって用いられる。第１の装置１００は、接続の登録と識別子とを要求する要求をサーバ１２０へ送信する。すなわち、第２の装置１１０とのコンタクトを望む第１の装置１００は、サーバ１２０における所望の接続の特定を示す何らかの識別子を登録しなければならない。この識別子はＳＭＳの形で第１の装置１００により第２の装置１１０へ送信される。第２の装置１１０は、サーバ１２０とコンタクトするとき、上記識別子をサーバ１２０に知らせる。次いで、サーバ１２０は既存のどの接続と第２の装置１１０を接続すべきかを認知する。上記識別子は、例えば１２８ビットのハッシュ符号又は他の任意の接続を示す一意の識別子などであってよい。
【００１９】
図２は、シグナリング方式とフローチャートとを合成した図であり、第２の装置１１０にアプリケーションを提供し、該アプリケーションを第２の装置１１０と共有する方法について説明する図である。本実施形態では、第１の装置１００はパブリックＩＰアドレスを有するものとする。上記方法は以下のステップを備える。
【００２０】
２０１．  第１の装置１００は第１のＳＭＳを第２の装置１１０へ送信する。第１の装置１００内のアプリケーションによって第２の装置１１０内のアプリケーションへ第１のＳＭＳを送信することができる。例えば第１の装置１００内のアプリケーションを開始し、次いで、第１の装置１００内の電話帳において第２の装置１１０を選択することによってこの方法ステップ２０１を実行することができる。
【００２１】
第１のＳＭＳには、第１の装置１００と第２の装置１１０との間のＩＰ接続を開始するために使用する第２の装置１１０用の識別子が含まれている。本実施形態では、第１の装置がＩＰアドレスを有しているとき、識別子は第１の装置１００のパブリックＩＰアドレスとなる。
【００２２】
第１のＳＭＳは、ある場所へのリンク（本例では第１の装置１００のＩＰアドレス）をさらに含むものであってもよい。ここで、第２の装置１１０がアプリケーションを予め備えていない場合、アプリケーションを第２の装置１１０の中へダウンロードすることができる。上記リンクはまた、アプリケーションを備えたサーバのような別の場所へのリンクであってもよい。
【００２３】
第１のＳＭＳは、第２の装置１１０がアプリケーションを予め備えていない場合、第２の装置１１０において表示するための勧誘テキスト（送信勧誘テキスト）をさらに含むことができる。勧誘テキストは、人が読むことができるテキストであり、ユーザがアプリケーションのダウンロードを望んだ場合、リンクをアクティブにするために、例えば「第１の装置のユーザが画像をあなたに送信したいと思っています。あなたへの送信を可能にするためには以下のリンクをクリックして下さい：ｈｔｔｐ：／／ｘｘｘ．ｖｗ．ｚｚｚ」というような勧誘を第２の装置１１０のユーザに対して行うものである。これは、第１の装置１００が第２の装置１１０のある特定のポートに対して第１のＳＭＳをアドレス指定することにより達成することが可能であり、該ポートはアプリケーションに関連づけられる。第２の装置１１０がそのアプリケーションを備えていれば、該アプリケーションの特定のポートにアドレス指定されたいずれのＳＭＳも上記アプリケーションに関連づけられたポートであることがこの装置１１０により登録されることになる。第１のＳＭＳがこのようなポートを発見しなかった場合、それは、第２の装置１１０が当該アプリケーションを備えていないことを示すものであり、そして、第２の装置１１０内の正規のＳＭＳ用受信箱にその勧誘テキストを表示して、ユーザが読めるようにすべきであることを示すものである。
【００２４】
第２の装置１１０がアプリケーションを予め備えていた場合、第１のＳＭＳは第２の装置１１０においてアプリケーションを開始するためのトリガをさらに含むことができる。アプリケーションが第２の装置１１０に予めインストールされていた場合、アプリケーションは上述のような特定のポートにおいてＳＭＳのアカウントをとり、ＳＭＳがアプリケーションへ向けて送られ、該アプリケーションは自動起動することになり、次いで、第１のＳＭＳの中に含まれていた第１のＳＭＳ及び勧誘テキストのいずれも第２の装置１１０には表示されなくなる。
【００２５】
２０２．  第２の装置１１０がアプリケーションを備えていれば、該装置１１０は起動される。この起動は上述の第１のＳＭＳ内のトリガにより自動的に行われる。次いで、第２の装置１１０は識別子を用いて第１の装置１００と第２の装置１１０との間のＩＰ接続を開始する。上記識別子は、本実施形態では、第１の装置１００のＩＰアドレスにより表される。このＩＰ接続は第２の装置１１０内のアプリケーションにより実行されてもよい。このＩＰ接続は、第２の装置１１０内のアプリケーションによってコンタクトされる第１の装置１００内のアプリケーションにより実行することも可能である。
【００２６】
２０３．  ＩＰ接続が第１の装置１００と第２の装置１１０との間で開始される。第１の装置１００は共有アプリケーションを用いて第２の装置１１０との通信を開始することができる。
【００２７】
２０４．  第２の装置１１０がアプリケーションを備えていない場合、上述の勧誘テキストは第２の装置１１０に表示することができる。第２の装置１１０のユーザがアクティブにすることを選択すれば、テキスト内のリンクは第２の装置１１０においてアクティブにされ、次いで、リンクを用いてダウンロードを行うために第１の装置１００とのコンタクトが行われる。上記リンクは第２の装置のアプリケーションへのリンクであることが望ましい。
【００２８】
２０５．  次いで、上記アプリケーションは第２の装置１１０の中へダウンロードされる。第２の装置１１０内のアプリケーションが開始される。
【００２９】
２０６．  次いで、第２の装置１１０は、識別子を用いて第１の装置１００と第２の装置１１０との間のＩＰ接続を開始する。該識別子は、本実施形態では、第１の装置１００のＩＰアドレスによって表される。このＩＰ接続は第２の装置１１０内のアプリケーションにより実行することができる。
【００３０】
２０７．  ＩＰ接続は第１の装置１００と第２の装置１１０との間で開始され、第１の装置１００は共有アプリケーションを用いて第２の装置１１０との通信を開始することができる。
【００３１】
２０８．  代替の実施形態では、アプリケーションをダウンロードできる場所へのリンクであって、第２の装置１１０がアプリケーションを予め備えていない場合に、第２の装置１１０に表示される勧誘テキストへのリンクは、ステップ２０１では第１のＳＭＳには含まれていない。その代わりに、第２の装置１１０がアプリケーションを備えていない場合、リンクと勧誘テキストとを含む個別の勧誘ＳＭＳは第１の装置１００によって第２の装置１１０へ送信される。勧誘ＳＭＳは図２の破線２０８の形で参照される。勧誘ＳＭＳは、人が読むことができるテキストとリンクとを含む通常のＳＭＳであってもよく、第２の装置１１０の通常の受信箱の中に現れる。
【００３２】
第２の装置１１０がアプリケーションを備えているか否かの立証は以下のようにして行うことができる。ステップ２０１において、第１の装置１００が第１のＳＭＳを第２の装置１１０へ送信すると、第１の装置１００内のアプリケーションは第２の装置１１０内のアプリケーションがコンタクトを行うことを予想する。４５秒などの所定の時間内にコンタクトが行われなければ、これは第２の装置１１０がアプリケーションを備えていないか、第２の装置１１０がオフになっていることを示すことになる。
【００３３】
上記２つのケースを区別するために、ＳＭＳの配信報告機能を用いることができる。配信報告とは、第２の装置１１０へＳＭＳが配信された旨を無線通信システムのショートメッセージサービスセンタ（ＳＭＳＣ）が第１の装置１００に通知する機能である。第２の装置１１０のスイッチがオンになっていないという事実に起因して、第２の装置１１０へのＳＭＳの配信が行われなければ、配信報告はＳＭＳＣから第１の装置１００へ送信されない。配信報告はそれ自体がＳＭＳであるが、この配信報告は第１の装置１００においてＳＭＳとして姿を見せることはない。第１の装置１００から第２の装置１１０へ送信されるＳＭＳ（本例ではステップ２０１でのＳＭＳ）はメッセージ参照番号を有する。このメッセージ参照番号はＳＭＳＣから第１の装置１００へ送信される配信報告に添付されるものである。これによって、第１の装置１００は、送信済みのＳＭＳと、同じ送信済みのＳＭＳへの配信報告とを関連付けることが可能となる。
【００３４】
ＳＭＳの配信報告機能を用いる代わりに、第２の装置１１０のスイッチがオンになっているかいないかを立証する代替の方法として、第２の装置１１０の通信事業者のホーム・ロケーション・レジスタに問い合わせるという方法がある。このＨＬＲは、第２の装置１１０のスイッチがオンになっているかいないかの状態に対応するものである。第１の装置１００は、おそらくサーバ１２０を介して第２の装置１１０のＳＩＭカードを所有している通信事業者へ要求を送信し、第２の装置１１０のスイッチがオンになっているかどうかを通信事業者のＨＬＲの中で調べてくれるように通信事業者に対して要求することができる。
【００３５】
したがって、上記２つの代替例のうちの第１の代替例では、ステップ２０１で送信されたＳＭＳに関連づけられた配信報告が第１の装置１００により受信された場合、勧誘ＳＭＳは第１の装置１００から第２の装置１１０へ送信されるが、第１の装置１０００内のアプリケーションとのコンタクトが第２の装置１１０内のアプリケーションによって所定の時間内に行われることはない（第２の装置１１０のスイッチはオンになっているが、第２の装置１１０はアプリケーションを備えていない）。
【００３６】
上記２つの代替例のうちの第２の代替例では、第２の装置１１０のスイッチがオンになっているが、所定の時間内に第２の装置１１０内のアプリケーションが第１の装置１００内のアプリケーションとコンタクトを行っていない旨を要求時の通信事業者が告げた場合、勧誘ＳＭＳは第１の装置１００から第２の装置１１０へ送信される（第２の装置１１０のスイッチがオンになっているが、第２の装置１１０はアプリケーションを備えていない）。
【００３７】
図３は、第１の装置１００がパブリックＩＰアドレスを持っていないシナリオを示すシグナリング方式とフローチャートとの合成図である。この場合、第１の装置１００はサーバ１２０を介して第２の装置１１０とコンタクトを行う必要がある。第１の装置１００内のアプリケーションはサーバ１２０宛のパブリックＩＰアドレスを認知する。上記方法は以下のステップを備える：
３０１．  第１の装置１００は、第１の装置１００とサーバ１２０との間のＩＰ接続を開始するために認知済みのＩＰアドレスによりサーバ１２０と接続する。このステップは、第１の装置１００においてアプリケーションを開始し、第１の装置１００内の電話帳において第２の装置１１０を選択することなどによって実行することができる。次いで、該アプリケーションはサーバ１２０との接続を開始することになる。接続の開始はアプリケーションにより実行してもよい。
【００３８】
第１の装置１００は第１の装置１００とサーバ１２０間の接続を特定する識別子を取得し、上記接続とその識別子とがサーバ１２０に登録される。代替の実施形態では、第１の装置１００は第１の装置１００とサーバ１２０との間の接続を特定する識別子を生成し、該識別子並びに、上記接続とその識別子とをサーバ１２０に登録する要求をサーバ１２０へ送信する。
【００３９】
第２の装置１１０の電話番号をサーバ１２０に知らせるようにしてもよい。この理由については後程説明する。
【００４０】
３０２．  第１の装置１００はサーバ１２０からの応答を受信し、識別子が要求された場合、上記応答には、第１の装置１００とサーバ１２０間での接続を特定する要求された識別子が含まれている。
【００４１】
上記応答は、サーバ１２０により定式化された勧誘テキストをさらに含むことができ、該テキストは次のステップで第１の装置１００により第２の装置１１０へ送信される。サーバ１２０は、例えば＋４５がデンマークに相当するというような第２の装置１１０の国別コードに対して上記テキストを採用できることが望ましい。この国別コードは前回のステップ３０１で受信した電話番号により発見される。その場合、上記応答の中には勧誘テキストも含まれることになる。第２の装置１１０が上述した方法と同じ方法を備えていなければ、このテキストは単に第２の装置１１０に表示される。
【００４２】
３０３．  第１の装置１００は第１のＳＭＳを第２の装置１１０へ送信する。第１のＳＭＳは第１の装置１００内のアプリケーションによって第２の装置内のアプリケーションへ送信することができる。
【００４３】
第１のＳＭＳには、第１の装置と第２の装置との間のＩＰ接続を開始するための第２の装置１１０用の識別子が含まれている。本実施形態における識別子は、第１の装置１００とサーバ１２０との間の既存の接続を特定する識別子であって、ステップ３１２でサーバ１２０から取得した識別子により表される。
【００４４】
第２の装置１１０がアプリケーションを予め備えていない場合、第１のＳＭＳには、アプリケーションを第２の装置１１０の中へダウンロードするダウンロード元の場所へのリンクがさらに含まれる。本例ではこのリンクはアプリケーションをダウンロードすることができるサーバ１２０であってもよい。
【００４５】
第２の装置１１０がアプリケーションを予め備えていれば、第１のＳＭＳは、ステップ２０１で上述した方法と同じ方法で第２の装置１１０においてアプリケーションを開始するトリガをさらに含むことができる。
【００４６】
第２の装置１１０がアプリケーションを予め備えていない場合、第１のＳＭＳはステップ２０１で上述した方法と同じ方法で第２の装置１１０において表示される勧誘テキストをさらに含むことができる。サーバからの応答が勧誘テキストをまったく含んでいなければ、第１の装置１００において好適にはアプリケーションによりこのようなテキストを作成できることが望ましい。
【００４７】
３０４．  第２の装置１１０がアプリケーションを備えている場合、そのアプリケーションはトリガによって開始される。第２の装置内のアプリケーションは上述したようにサーバ１２０のＩＰアドレスを認知する。第２の装置１１０は、サーバ１２０の認知済みのＩＰアドレスを用いてまず接続を設定することにより第１の装置１００と接続する。この接続は、第１の装置１００内のアプリケーションと接続する第２の装置１１０内のアプリケーションにより実行することも可能である。
【００４８】
第２の装置は、第１の装置１００とサーバ１２０との間の既存の接続を特定する識別子をサーバ１２０に提供する。該識別子は第１のＳＭＳの中に含まれていたものである。サーバ１２０はこの識別子によって既存の接続を特定する。
【００４９】
３０５．  サーバは、上記識別子に関連づけられた接続を特定すると、第２の装置１１０とサーバ１２０間の接続を、第１の装置１００とサーバ１２０間の接続と接続することによって、第１の装置１００と第２の装置１１０との間のＩＰ接続を設定する。
【００５０】
３０６．  第１の装置１００と第２の装置１１０との間のＩＰ接続が開始される。第１の装置１００は共有アプリケーションを用いて第２の装置１１０と通信を開始することができる。
【００５１】
３０７．  第２の装置１１０がアプリケーションを備えていない場合、上述の勧誘テキストは第２の装置１１０に表示される。第２の装置１２０のユーザがアクティブにすることを選択した場合、テキスト内のリンクは第２の装置１１０のユーザによりアクティブにされ、次いで、第２の装置１１０は、リンクを用いることによってアプリケーションをダウンロードできる場所にコンタクトする。この場所は例えばサーバ１２０などであってもよい。
【００５２】
３０８．  次いで、アプリケーションは第２の装置１１０の中へダウンロードされる。第２の装置１１０内のアプリケーションが開始される。
【００５３】
３０９．  第２の装置１１０においてダウンロードされたアプリケーションはサーバ１２０のＩＰアドレスを認知する。この認知済みのＩＰアドレスを用いて第２の装置１１０はサーバ１２０との接続をまず設定することによって第１の装置１００との接続を行う。この接続は、第１の装置１００内のアプリケーションと接続する第２の装置１１０内のアプリケーションによって実行することも可能である。
【００５４】
第２の装置１１０は、第１の装置１００とサーバ１２０との間の既存の接続を特定する識別子をサーバ１２０に提供するものであるが、該識別子は、第１のＳＭＳの中に含まれていたものであった。サーバ１２０はこの識別子によって既存の接続を特定する。
【００５５】
３１０．  サーバ１２０が識別子に関連づけられた接続を特定すると、サーバ１２０は、第２の装置１１０とサーバ１２０間の接続を第１の装置１００とサーバ１２０間の接続と接続することによって第１の装置１００と第２の装置１１０との間のＩＰ接続を設定する。
【００５６】
３１１．  第１の装置１００と第２の装置１１０との間のＩＰ接続が開始される。第１の装置１００は共有アプリケーションを用いて第２の装置１１０と通信を開始することができる。
【００５７】
３１２．  代替の実施形態では、アプリケーションをダウンロードできる場所へのリンクであって、第２の装置１１０がアプリケーションを予め備えていない場合、第２の装置１１０に表示される勧誘テキストへのリンクは、ステップ３０３ではＳＭＳの中には含まれていない。その代わりに、第２の装置１１０がアプリケーションを備えていない場合、リンクと勧誘テキストとを含む個別の勧誘ＳＭＳがステップ２０８で説明した方法と同じ方法で第１の装置１００によって第２の装置１１０へ送信される。勧誘ＳＭＳは図３の破線３１２の形で参照される。
【００５８】
したがって、第１の代替例では、ステップ３０３で送信されたＳＭＳに関連づけられた配信報告が第１の装置１００により受信された場合、勧誘ＳＭＳは第１の装置１００から第２の装置１１０へ送信されるが、第２の装置１１０内のアプリケーションによって、第１の装置１０００内のアプリケーションとのコンタクトが所定の時間内に行われることはない（第２の装置１１０のスイッチはオンになっているが、第２の装置１１０はアプリケーションを備えていない）。上記についてのさらなる詳細については同様のステップ２０８を参照されたい。
【００５９】
第２の代替例では、第２の装置１１０のスイッチがオンになってはいるが、所定の時間内に第２の装置１１０内のアプリケーションによって第１の装置１００内のアプリケーションとのコンタクトが行われていない旨を要求時の通信事業者が告げた場合、勧誘ＳＭＳは第１の装置１００から第２の装置１１０へ送信される（第２の装置１１０のスイッチがオンになっているが、第２の装置はアプリケーションを備えていない）。
【００６０】
図４に描かれている第１の装置１１０はアプリケーション４００を備えている。第１の装置１００は、第１のＳＭＳを第２の装置１１０へ送信するように適合された送信用ユニット４１０をさらに備える。第２の装置において第１のＳＭＳを特定のポートへ送信するように送信用ユニット４１０をさらに適合することができる。該ポートはアプリケーションに関連づけられ、ＳＭＳがこのようなポートを発見しなければ、それは、第２の装置１１０がアプリケーションを備えていないことを示すものであり、そして、第２の装置１１０に勧誘テキストを表示すべきであることを示すものである。
【００６１】
第１のＳＭＳは、第２の装置１１０がアプリケーション４００を予め備えていない場合、アプリケーション４００を第２の装置１１０の中へダウンロードできるダウンロード元の場所へのリンクを備える。このリンクは第１の装置１００へのリンクであってもよいし、あるいは、サーバ１２０へのリンクであってもよい。若しくはアプリケーションをダウンロードできる他の任意の場所へのリンクであってもよい。ＳＭＳには、第１の装置１００と第２の装置１１０との間のＩＰ接続を開始するための第２の装置１１０用の識別子がさらに含まれる。第１のＳＭＳは勧誘テキストをさらに含むようにすることも可能であり、第２の装置１１０のユーザに勧誘を行うように該勧誘テキストが適合されて、アプリケーション４００をダウンロードするためにユーザがリンクをアクティブにしたいと望めば、該リンクはアクティブにされる。１つの実施形態では、第２の装置１１０がアプリケーション４００を予め備えていない場合、勧誘テキストは単に適合されて、第２の装置１１０に表示される。第２の装置１１０がアプリケーションを予め備えていれば、第１のＳＭＳは第２の装置１１０においてアプリケーション４００を開始するように適合されたトリガをさらに含むことができる。
【００６２】
送信用ユニット４１０は、第２の装置１１０がアプリケーション４００を備えていない場合、個別の勧誘ＳＭＳを第２の装置１１０へ送信するように適合され、前記勧誘ＳＭＳにはリンクと勧誘テキストとが含まれる。その場合、リンクと勧誘テキストとは第１のＳＭＳには含まれないように適合される。第１のＳＭＳに関連づけられた配信報告は受信されるが、第１の装置１１０内のアプリケーション４００とのコンタクトが、第１のＳＭＳを送信した後の所定の時間内に第２の装置１１０内のアプリケーションによって行われない場合、送信用ユニット４１０はさらに勧誘ＳＭＳのみを送信するように適合することができる。代替例として、第２の装置１１０のスイッチはオンになっているが、第１のＳＭＳを送信した後、第１の装置１００内のアプリケーションとのコンタクトが第２の装置１１０内のアプリケーション４００によって所定の時間内に行われていない旨を要求時の通信事業者が知らせた場合、送信用ユニット４１０は勧誘ＳＭＳのみを送信するように適合することができる。
【００６３】
第１の装置１００は、第１の装置１００と第２の装置１１０との間のＩＰ接続を設定するために第２の装置１１０によって接続されるように適合されたＩＰ接続ポイント４２０をさらに備え、該第２の装置１１０は、第２の装置１１０がアプリケーションを予め備えていない場合、第１のＳＭＳで受信したリンクによってアプリケーションをダウンロードするように適合される。第２の装置１１０は、第１のＳＭＳで受信した識別子によって第１の装置１００と接続するようにさらに適合される。この識別子は第１の装置のＩＰアドレスなどによって表すようにしてもよい。
【００６４】
１つの実施形態ではサーバ１２０はＩＰ接続を設定するために用いられる。第１の装置１００内のアプリケーションはサーバ１２０のＩＰアドレスを認知する。その場合、第１のＳＭＳに含まれている識別子は第１の装置１００とサーバ１２０との間のＩＰ接続を特定する識別子により表される。本実施形態では、ＩＰ接続ポイント４２０は、認知済みのＩＰアドレスによってサーバ１２０と第１の装置１００との間のＩＰ接続を設定するようにさらに適合される。ＩＰ接続ポイント４２０は、サーバ１２０と第１の装置１００との間の接続を特定する識別子を要求する要求をサーバ１２０へ送信するように適合することができる。あるいは、第１の装置１００は識別子を生成することができ、サーバ１２０と第１の装置１００との間の接続に関連づけられた上記識別子がサーバ１２０に登録される。
【００６５】
ＩＰ接続ポイント４２０は、サーバ１２０からの応答を受信するためにサーバ１２０とのＩＰ接続を用いるように適合することができる。この応答は要求された識別子を備え、該識別子は第１のＳＭＳに含まれるように意図される。サーバ１２０は勧誘テキストを定式化することができ、次いで、この勧誘テキストはサーバ１２０からの応答の中に含まれるように適合することができる。
【００６６】
第１の装置１００と第２の装置１１０との間のＩＰ接続は、第２の装置１１０とサーバ１２０との間の接続を設定する第２の装置１１０によって実行されるように適合される。第２の装置１１０は識別子をサーバ１２０に提供し、該識別子は第１のＳＭＳの中に含まれるように適合される。この識別子は、サーバ１２０と、該サーバ１２０に登録された第１の装置１００との間のＩＰ接続を特定するためにサーバ１２０によって用いられるように適合される。サーバ１２０は、第１の装置１００内のＩＰ接続ポイント４２０とサーバ１２０との間で識別されたＩＰ接続をサーバ１２０と第２の装置１１０との間のＩＰ接続と接続するように適合される。
【００６７】
ＩＰ接続ポイントは、アプリケーション４００を共有しながら第２の装置１１０とのＩＰ接続時に通信を行うようにさらに適合される。
【００６８】
本アプリケーション共有メカニズムは、図４に描かれている第１の装置１００内のプロセッサ４３０のような１以上のプロセッサを介して、本発明の機能を実行するコンピュータプログラムコードと共に実行することができる。上述のプログラムコードはまた、例えば第１の装置の中へロードされると、本方法を実行するコンピュータプログラムコードを運ぶデータキャリアの形でコンピュータプログラム製品として提供することが可能である。このような１つのキャリアはＣＤ−ＲＯＭディスクの形のものであってもよい。しかしながらこのキャリアはメモリスティックのような別のデータキャリアによっても実行可能である。コンピュータプログラムコードは、サーバ上で純粋なプログラムコードとして提供され、遠隔地にある第１の装置１００へダウンロードすることも可能である。
【００６９】
本発明は上述の好適な実施形態のみに限定されるわけではない。種々の代替例、修正及び均等物を用いることも可能である。したがって、上記の実施形態は本発明の範囲を制限するものと考えるべきではなく、本発明の範囲は添付の特許請求の範囲において規定される。
【図面の簡単な説明】
【００７０】
【図１】本発明に係る第２の装置との通信を行う第１の装置を示す概略ブロック図である。
【図２】本発明の実施形態を示すシグナリング方式とフローチャートとの合成図である。
【図３】本発明の別の実施形態を示すシグナリング方式とフローチャートとの合成図である。
【図４】本発明に係る第１の通信装置を示す概略ブロック図である。
【図１】
2009541819.tif 000003
【図２】
2009541819.tif 000004
【図３】
2009541819.tif 000005
【図４】
2009541819.tif 000006
【手続補正書】
【提出日】平成20年2月29日(2008.2.29)
【手続補正１】
【補正対象書類名】特許請求の範囲
【補正対象項目名】全文
【補正方法】変更
【補正の内容】
【特許請求の範囲】
【請求項１】
アプリケーション（４００）を第２の通信装置（第２の装置）（１１０）と共有するための、該アプリケーション（４００）を備えた第１の携帯通信装置（第１の装置）（１００）における方法であって、
第１のショートメッセージサービス（ＳＭＳ）を前記第２の装置（１１０）へ送信するステップであって、前記第２の装置（１１０）が前記アプリケーション（４００）を予め備えていない場合、前記第１のＳＭＳは、前記アプリケーション（４００）を前記第２の装置（１１０）の中へダウンロードできるダウンロード元の場所へのリンクと、前記第１の装置（１００）と前記第２の装置（１１０）との間のＩＰ接続を開始するために用いる前記第２の装置（１１０）用の識別子とを有する、ステップと、
前記第１の装置（１００）と前記第２の装置（１１０）との間のＩＰ接続を設定するために前記第２の装置（１１０）により接続されるステップであって、前記第２の装置（１１０）が前記アプリケーション（４００）を予め備えていない場合、該第２の装置（１１０）は、前記第１のＳＭＳの中の受信した前記リンクによって前記アプリケーション（４００）をダウンロードし、さらに、該第２の装置（１１０）は、前記第１のＳＭＳの中の受信した前記識別子によって前記第１の装置（１００）に接続される、ステップと、
前記アプリケーション（４００）を共有しながら、ＩＰ接続で前記第２の装置（１１０）と通信を行うステップと、
を有し、
前記第１のＳＭＳは勧誘テキストをさらに有し、該勧誘テキストは、前記第２の装置（１１０）のユーザが前記アプリケーション（４００）のダウンロードを望んだ場合に、前記リンクをアクティブにするために該ユーザを勧誘するように適合され、
前記第２の装置（１１０）が前記アプリケーション（４００）を予め備えていない場合、前記勧誘テキストのみを前記第２の装置（１１０）に表示するように適合され、
前記第１のＳＭＳは前記アプリケーション（４００）に関連づけられた特定のポートへ送信されると共に、前記ＳＭＳがこのようなポートを発見しなかった場合、それは、前記第２の装置（１１０）が前記アプリケーション（４００）を備えていないことと、前記勧誘テキストを前記第２の装置（１１０）に示すべきであることとを示すものである
ことを特徴とする方法。
【請求項２】
前記第２の装置（１１０）が前記アプリケーション（４００）を予め備えている場合、前記第１のＳＭＳは、前記アプリケーション（４００）を前記第２の装置（１１０）において開始するためのトリガをさらに有することを特徴とする請求項１に記載の方法。
【請求項３】
前記第１のＳＭＳが前記リンクと前記勧誘テキストとを有していなかった場合、前記第２の装置（１１０）が前記アプリケーション（４００）を備えていなければ、前記リンクと前記勧誘テキストとを含む個別の勧誘ＳＭＳを第２の装置（１１０）へ送信するステップを更に備えることを特徴とする請求項１又は２に記載の方法。
【請求項４】
前記第１のＳＭＳに関連づけられた配信報告が受信され、また、前記第１の装置（１００）内の前記アプリケーション（４００）とのコンタクトが前記第２の装置（１１０）内の前記アプリケーション（４００）によって所定の時間内に行われなかった場合、前記勧誘ＳＭＳが送信されることを特徴とする請求項３に記載の方法。
【請求項５】
前記第２の装置（１１０）のスイッチがオンになっているが、前記第２の装置（１１０）内の前記アプリケーション（４００）によって、前記第１の装置（１００）内の前記アプリケーション（４００）とのコンタクトが所定の時間内に行われていないことが要求時の前記第２の装置（１１０）の通信事業者により知らされた場合、前記勧誘ＳＭＳが送信されることを特徴とする請求項４に記載の方法。
【請求項６】
ＩＰ接続を開始するために用いられる前記第２の装置（１１０）用の前記識別子は、前記第１の装置（１００）の前記ＩＰアドレスによって表されることを特徴とする請求項１乃至５のいずれか１項に記載の方法。
【請求項７】
サーバ（１２０）が前記ＩＰ接続の設定に用いられ、
前記アプリケーション（４００）は前記サーバ（１２０）のＩＰアドレスを認知し、
前記第１のＳＭＳの中に含まれている前記識別子が、前記第１の装置（１００）と前記サーバ（１２０）との間のＩＰ接続を特定する識別子によって表され、
前記方法は、前記第１のＳＭＳを送信する前記ステップの前に行う以下のステップ、すなわち、
前記サーバ（１２０）の前記認知済みのＩＰアドレスを用いることによって、前記サーバ（１２０）と前記第１の装置（１００）との間のＩＰ接続を設定するステップと、
前記サーバ（１２０）と前記第１の装置（１００）との間の前記接続を特定する識別子を取得するステップと、
前記識別子は、前記サーバ（１２０）と前記第１の装置（１００）との間の前記接続に関連づけられたものとして、前記サーバ（１２０）に登録される
ことを特徴とする請求項１乃至６のいずれか１項に記載の方法。
【請求項８】
前記第１の装置（１００）によって作成されることによって前記識別子は取得されることを特徴とする請求項７に記載の方法。
【請求項９】
前記識別子は要求時に前記サーバ（１２０）から取得されることを特徴とする請求項７又は８に記載の方法。
【請求項１０】
前記第１の装置（１００）と前記第２の装置（１１０）との間のＩＰ接続を設定するために前記第２の装置（１１０）によって接続される前記ステップは、
前記第２の装置（１１０）と前記サーバ（１２０）の前記ＩＰアドレス間の接続を設定するステップであって、前記第２の装置（１１０）は、前記サーバ（１２０）に識別子を提供すると共に、該識別子は前記サーバ（１２０）と、該サーバ（１２０）に登録された前記第１の装置（１００）との間の前記ＩＰ接続を特定するために前記サーバ（１２０）によって用いられるステップと、
前記第１の装置（１００）と前記サーバ（１２０）との間の前記識別されたＩＰ接続を、前記サーバ（１２０）と前記第２の装置（１１０）との間の前記ＩＰ接続と接続するステップと、
によって実行されることを特徴とする請求項７乃至９のいずれか１項に記載の方法。
【請求項１１】
前記アプリケーション（４００）をダウンロードできるダウンロード元の前記場所へのリンクが、前記第１の装置（１００）又は前記サーバ（１２０）へのリンクであることを特徴とする請求項１乃至１０のいずれか１項に記載の方法。
【請求項１２】
ダウンロードできる前記アプリケーション（４００）は、前記サーバ（１２０）宛のＩＰアドレスも備えることを特徴とする請求項７乃至１１のいずれか１項に記載の方法。
【請求項１３】
前記サーバ（１２０）は、当該サーバ（１２０）からの前記応答の中に含まれる前記勧誘テキストであって、前記第１のＳＭＳの中に含まれる勧誘テキストを定式化することを特徴とする請求項７乃至１２のいずれか１項に記載の方法。
【請求項１４】
前記第２の装置（１１０）の電話番号が前記サーバ（１２０）に知らされ、
前記サーバ（１２０）は前記電話番号の国別コードに対して前記テキストを採用する
ことを特徴とする請求項７乃至１３のいずれか１項に記載の方法。
【請求項１５】
第１の装置の中へコンピュータプログラムコードをロードするときにアプリケーション（４００）を第２の通信装置と共有するための、第１の通信装置（第１の装置）（１００）内のコンピュータプログラム製品であって、請求項１乃至１４のいずれか１項に記載の方法の各ステップの実行を、前記第１の装置（１００）に設けられたコンピュータ内の処理手段（４３０）に制御させるための前記コンピュータプログラムコードを備えることを特徴とするコンピュータプログラム製品。
【請求項１６】
アプリケーション（４００）を備える第１の携帯通信装置（第１の装置）（１００）であって、
第１のショートメッセージサービス（ＳＭＳ）を第２の通信装置（第２の装置）（１１０）へ送信するように適合された送信用ユニット（４１０）であって、前記第２の装置（１１０）が前記アプリケーション（４００）を予め備えていない場合、前記第１のＳＭＳは、前記アプリケーション（４００）を前記第２の装置（１１０）の中へダウンロードできるダウンロード元の場所へのリンクと、前記第１の装置（１００）と前記第２の装置（１１０）との間のＩＰ接続を開始するために用いる前記第２の装置（１１０）用の識別子とを有するように適合された送信用ユニット（４１０）と、
前記第１の装置（１００）と前記第２の装置（１１０）との間のＩＰ接続を設定するために前記第２の装置（１１０）によって接続されるように適合されたＩＰ接続ポイント（４２０）であって、該第２の装置（１１０）が前記アプリケーション（４００）を予め備えていない場合、該第２の装置（１１０）は、受信した前記リンクによって前記アプリケーション（４００）を前記第１のＳＭＳにダウンロードするように適合され、さらに、該第２の装置（１１０）は前記第１のＳＭＳの形で受信した識別子によって前記第１の装置（１００）に接続されるように適合されたＩＰ接続ポイント（４２０）と、
を備え、
前記ＩＰ接続ポイント（４２０）は、前記アプリケーション（４００）を共有しながら、ＩＰ接続で前記第２の装置（１１０）と通信するようにさらに適合され、
前記第１のＳＭＳは勧誘テキストをさらに有し、該勧誘テキストは、前記第２の装置（１１０）のユーザが前記アプリケーション（４００）のダウンロードを望んだ場合に、前記リンクをアクティブにするために前記ユーザに勧誘を行うように適合され、
前記第２の装置（１１０）が前記アプリケーション（４００）を予め備えていない場合、前記勧誘テキストのみを前記第２の装置（１１０）に表示するように適合され、
前記送信用ユニット（４１０）は、前記第１のＳＭＳを前記アプリケーション（４００）に関連づけられた特定のポートへ送信するようにさらに適合されると共に、前記ＳＭＳがこのようなポートを発見しなかった場合、それは、前記第２の装置（１１０）が前記アプリケーション（４００）を備えていないことと、前記勧誘テキストを前記第２の装置（１１０）に示すべきであることを示すものである
ことを特徴とする第１の通信装置（１００）。
【請求項１７】
前記第２の装置（１１０）が前記アプリケーション（４００）を予め備えていれば、前記第１のＳＭＳは、前記アプリケーション（４００）を開始するように適合されたトリガを前記第２の装置（１１０）の中にさらに有することを特徴とする請求項１６に記載の第１の装置（１００）。
【請求項１８】
前記第１のＳＭＳが前記リンクと前記勧誘テキストとを有するように適合されていなかった場合、前記第２の装置（１１０）が前記送信用ユニット（４１０）を備えていなければ、個別の勧誘ＳＭＳを第２の装置（１１０）へ送信するようにさらに適合され、該勧誘ＳＭＳは前記リンクと前記勧誘テキストとを含むように適合されることを特徴とする請求項１６又は１７に記載の第１の装置（１００）。
【請求項１９】
前記第１のＳＭＳに関連づけられた配信報告が受信され、また、前記第２の装置（１１０）内の前記アプリケーション（４００）によって、前記第１の装置（１００）内の前記アプリケーション（４００）とのコンタクトが前記第１のＳＭＳの送信後所定の時間内に行われなかった場合、前記送信用ユニット（４１０）は、前記勧誘ＳＭＳを単に送信するようにさらに適合されることを特徴とする請求項１８に記載の第１の装置（１００）。
【請求項２０】
前記第２の装置（１１０）のスイッチがオンになっているが、前記第２の装置（１１０）内の前記アプリケーション（４００）によって、前記第１の装置（１００）内の前記アプリケーション（４００）とのコンタクトが前記第１のＳＭＳの送信後所定の時間内に行われていないことが要求時の前記第２の装置（１１０）の通信事業者により知らされた場合、前記送信用ユニット（４１０）は、前記勧誘ＳＭＳを単に送信するように適合されることを特徴とする請求項１９に記載の第１の装置（１００）。
【請求項２１】
ＩＰ接続を開始するためのアドレス指定を行うために、前記第２の装置（１１０）用として意図された前記識別子が前記第１の装置（１００）のＩＰアドレスによって表されることを特徴とする請求項１６乃至２０のいずれか１項に記載の第１の装置（１００）。
【請求項２２】
サーバ（１２０）が前記ＩＰ接続の設定に用いられ、
前記アプリケーション（４００）は前記サーバ（１２０）のＩＰアドレスを認知し、
前記第１のＳＭＳの中に含まれている識別子は、前記第１の装置（１００）と前記サーバ（１２０）との間のＩＰ接続を特定する識別子によって表され、
前記ＩＰ接続ポイント（４２０）がサーバ（１２０）と前記第１の装置（１００）との間の接続を設定すると共に、該識別子は、前記サーバ（１２０）と前記第１の装置（１００）との間の接続として前記サーバ（１２０）に登録されるように適合される
ことを特徴とする請求項１６乃至２１のいずれか１項に記載の第１の装置（１００）。
【請求項２３】
前記識別子は前記第１の装置（１００）によって作成されることを特徴とする請求項２２に記載の第１の装置（１００）。
【請求項２４】
前記識別子は要求時に前記サーバ（１２０）から取得されることを特徴とする請求項２２に記載の第１の装置（１００）。
【請求項２５】
前記第２の装置（１１０）と前記サーバ（１２０）との間の接続を設定する、前記第１の装置（１００）と前記第２の装置（１１０）との間のＩＰ接続が、前記第２の装置（１１０）によって実行されるように適合され、
前記第２の装置（１１０）は前記識別子を前記サーバ（１２０）に提供し、
前記ＩＰアドレスと識別子とは前記第１のＳＭＳの中に含まれていたものであり、
前記サーバ（１２０）と、前記サーバ（１２０）に登録されていた前記第１の装置（１００）との間の前記ＩＰ接続を特定するために前記識別子は前記サーバ（１２０）によって用いられ、
前記サーバ（１２０）は、前記第１の装置（１００）と前記サーバ（１２０）との間の前記特定されたＩＰ接続を、前記サーバ（１２０）と前記第２の装置（１１０）との間の前記ＩＰ接続と接続する
ことを特徴とする請求項２２に記載の第１の装置（１００）。
【請求項２６】
前記アプリケーション（４００）をダウンロードできるダウンロード元の場所へのリンクは、前記第１の装置（１００）又は前記サーバ（１２０）へのリンクであることを特徴とする請求項１６乃至２５のいずれか１項に記載の第１の装置（１００）。
【請求項２７】
ダウンロードできる前記アプリケーション（４００）は、前記サーバ（１２０）宛のＩＰアドレスも有することを特徴とする請求項２２乃至２６のいずれか１項に記載の第１の装置（１００）。
【請求項２８】
前記サーバ（１２０）は、前記サーバからの前記応答の中に含まれる前記勧誘テキストであって、前記第１のＳＭＳの中に含まれる勧誘テキストを定式化する
ことを特徴とする請求項２２乃至２７のいずれか１項に記載の第１の装置（１００）。
【請求項２９】
前記第１の装置（１００）は移動電話機であることを特徴とする請求項１６乃至２８のいずれか１項に記載の第１の装置（１００）。
【手続補正２】
【補正対象書類名】明細書
【補正対象項目名】０００２
【補正方法】変更
【補正の内容】
【０００２】
通信業界は移動電話機のような通信装置における新規の機能及び新たなアプリケーションの導入には腰が重い。これは、通信業界が常に、標準化と、実施構成と、相互運用性（ＩＯＰ）テストと、通信事業者のネットワークにおける役割分担とを必要とすることに起因する。今日、新たなアプリケーションを必要とする新規の機能を導入する唯一の方法として、まず新規の機能を標準化し、次いで、すべての新たな移動電話機の中に新たなアプリケーションを含むようにする方法がある。この結果、すでにマーケットに出ている移動電話機が新規の機能及びアプリケーションの導入から除外されるという問題が生じることになる。
特許文献１には、通信システムにおいて、無線送信装置から無線宛先装置へデータファイルを配信する方法が開示されている。この方法は以下のように実行される。
すなわち、無線送信装置は、宛先装置へ送信するデータを含むデータメッセージ要求をハブへ送信する。ハブはこのデータファイルを格納し、格納位置のＵＲＬアドレスを生成する。ハブは、ＵＲＬに格納されたデータは無線宛先装置が利用可能であることを示すＳＭＳメッセージを送信する。このＳＭＳメッセージにはアプリケーション識別子が含まれる。宛先装置は、ＳＭＳに含まれるアプリケーション識別子を用いて、例えばＣｌａｓｓｉｄ ＢＲＥＷアプリケーションのようなアプリケーションを起動する。これは、宛先装置がすでに有しているアプリケーションである。宛先装置内で起動されたアプリケーションは、ＵＲＬに基づいてデータ要求のＳＭＳメッセージを生成するステップと、それをハブへ送信するステップとを実行する。ハブは、データ要求メッセージ内のＵＲＬに基づいてデータベースサーバ内に格納されているデータを取得し、そのデータを宛先装置へ転送する。
【特許文献１】米国特許出願公開第２００３／１３９１９３号明細書
【国際調査報告】
2009541819.tif 000007
2009541819.tif 000008